(57)【要約】【課題】  ユーザのサムネイル画像へのフォーカスの移動方向に応じて、ユーザの所望するサムネイル画像を適切な表示順で表示し、サムネイルの検索処理の効率化とユーザの満足度の向上を図ることが可能となる。【解決手段】  本発明の表示装置１００は、所定の条件に従って並べられたサムネイル画像２０２を所定数ずつ複数のページに振り分け、ページ毎に、所定数のサムネイル画像をその並び順を維持するように、外部の、または内部に備えたモニタ（ビューファインダ１０８）に配列表示させるサムネイル表示制御部１８４と、ユーザ選択に応じて、複数のページを切り換えるサムネイル切換制御部１９０と、を備え、サムネイル表示制御部は、サムネイル切換制御部がページを逆方向に切り換えた場合、新たなページのサムネイル画像を並び順とは逆の表示順で表示させることを特徴としている。【選択図】    図６
2010166195.tif 000002
【特許請求の範囲】
【請求項１】
所定の条件に従って並べられたサムネイル画像を所定数ずつ複数のページに振り分け、前記ページ毎に、前記所定数のサムネイル画像をその並び順を維持するように、外部の、または内部に備えたモニタに配列表示させるサムネイル表示制御部と、
ユーザ選択に応じて、前記複数のページを切り換えるサムネイル切換制御部と、
を備え、
前記サムネイル表示制御部は、前記サムネイル切換制御部がページを順方向に切り換えた場合、新たなページの前記サムネイル画像を前記並び順と同じ表示順で前記モニタに表示させ、前記サムネイル切換制御部がページを逆方向に切り換えた場合、新たなページの前記サムネイル画像を前記並び順とは逆の表示順で前記モニタに表示させることを特徴とする表示装置。
【請求項２】
所定の条件に従って並べられたサムネイル画像中の、１または複数のサムネイル画像からなる連続した複数のサムネイルグループを、その並び順を維持するように、外部の、または内部に備えたモニタに表示させるサムネイル表示制御部と、
ユーザ選択に応じて、前記複数のサムネイルグループの一部を順次切り換えるサムネイル切換制御部と、
を備え、
前記サムネイル表示制御部は、前記サムネイル切換制御部がサムネイルグループを順方向に順次切り換えた場合、新たに前記モニタに表示させるサムネイルグループの前記サムネイル画像を前記並び順と同じ表示順で表示させ、前記サムネイル切換制御部がサムネイルグループを逆方向に順次切り換えた場合、新たに追加表示するサムネイルグループの前記サムネイル画像を前記並び順とは逆の表示順で前記モニタに表示させることを特徴とする表示装置。
【請求項３】
前記所定の条件は、記録時刻、ファイルサイズまたはファイル名であることを特徴とする請求項１または２に記載の表示装置。
【発明の詳細な説明】
【技術分野】
【０００１】
本発明は、複数のサムネイル画像を表示可能な表示装置に関する。
【背景技術】
【０００２】
近年、ＨＤＤ（Hard Disk Drive）の大容量化に伴い、デジタルスチルカメラ（ＤＳＣ：Digital Still Camera）またはデジタルビデオカメラ（ＤＶＣ：Digital
Video Camera）によって撮像された画像や、インターネット等の通信網を通じて取得した画像を１つのＨＤＤやリムーバブルディスクに多数記録できるようになった。
【０００３】
このように記録された多数の画像は、その中から１の画像を特定する際、そのサイズが縮小されたサムネイル画像が用いられ、例えば、元となる画像の記録順にモニタ上に並べられる。ユーザは、かかる複数のサムネイル画像を一度に参照することで、所望する任意の画像に対応するサムネイル画像を容易に選択することができ、その後、選択されたサムネイル画像の元となる画像が再生される。
【０００４】
このとき、ユーザは、十字キーやポインティングデバイスを通じて、所望するサムネイル画像にフォーカスを移動することで、複数のサムネイル画像から１のサムネイル画像を選択する。サムネイル画像は、そのフォーカスの移動に従って、画像単位で１枚ずつ出現または消失することとなる。対象となる画像数が少ない場合、このような画像単位の表示で問題ないが、画像数が多くなると、その操作が煩雑になる。そこで、所定の操作を経由することで、表示されたページ単位（所定数のサムネイル画像単位）でサムネイル画像を切り換える技術が開示されている（例えば、特許文献１）。
【先行技術文献】
【特許文献】
【０００５】
【特許文献１】特開２００３−１４３５１２号公報
【発明の概要】
【発明が解決しようとする課題】
【０００６】
上述した技術では、モニタ上のフォーカスを進ませたり戻したりすることでページを切り換えることができる。ページの切換が生じると、表示装置は、新たなページに表示すべきサムネイル画面を元画像から新たに生成し、生成されたサムネイル画像から順にモニタに表示していく。従って、新しいページでは、生成されたサムネイル画面がモニタの左上から順に描画されることとなり、すべてのサムネイル画像が表示されるまで多少の時間を要する。従って、サムネイル画像の並びを例えば画像の記録順とした場合、記録した日時が古いサムネイル画像が先に表示され、日時が新しいサムネイル画像は後から表示されることとなる。
【０００７】
このような状況下で、サムネイル画像へのフォーカスを記録時刻の新しい方に移動した場合、そのページ切換において、次ページの一番古いサムネイル画像が最初に表示される。かかるサムネイル画像は前ページにおける一番新しいサムネイル画像の次の画像に当たるので理にかなっていると言える。しかし、サムネイル画像へのフォーカスを記録時刻の古い方に移動した場合、そのページ切換において、最初に視認したいのは前ページの一番新しいサムネイル画像、即ち、モニタ右下に配置されるべきサムネイル画像である。しかし、従来の表示装置では、フォーカスの移動方向に拘わらず、一番古いサムネイル画像、即ち、モニタ左上に配置されるサムネイル画像から表示されていた。従って、ユーザは、その目的とするサムネイル画像が表示されるまで待たなくてはならず、不満を感じる場合があった。
【０００８】
本発明は、このような課題に鑑み、ユーザのサムネイル画像へのフォーカスの移動方向に応じて、ユーザの所望するサムネイル画像を適切な表示順で表示し、サムネイルの検索処理の効率化とユーザの満足度の向上を図ることが可能な表示装置を提供することを目的としている。
【課題を解決するための手段】
【０００９】
上記課題を解決するために、本発明は下記の装置を提供するものである。
（１）所定の条件に従って並べられたサムネイル画像を所定数ずつ複数のページに振り分け、前記ページ毎に、前記所定数のサムネイル画像をその並び順を維持するように、外部の、または内部に備えたモニタに配列表示させるサムネイル表示制御部と、ユーザ選択に応じて、前記複数のページを切り換えるサムネイル切換制御部と、を備え、前記サムネイル表示制御部は、前記サムネイル切換制御部がページを順方向に切り換えた場合、新たなページの前記サムネイル画像を前記並び順と同じ表示順で前記モニタに表示させ、前記サムネイル切換制御部がページを逆方向に切り換えた場合、新たなページの前記サムネイル画像を前記並び順とは逆の表示順で前記モニタに表示させることを特徴とする表示装置。
（２）所定の条件に従って並べられたサムネイル画像中の、１または複数のサムネイル画像からなる連続した複数のサムネイルグループを、その並び順を維持するように、外部の、または内部に備えたモニタに表示させるサムネイル表示制御部と、ユーザ選択に応じて、前記複数のサムネイルグループの一部を順次切り換えるサムネイル切換制御部と、を備え、前記サムネイル表示制御部は、前記サムネイル切換制御部がサムネイルグループを順方向に順次切り換えた場合、新たに前記モニタに表示させるサムネイルグループの前記サムネイル画像を前記並び順と同じ表示順で表示させ、前記サムネイル切換制御部がサムネイルグループを逆方向に順次切り換えた場合、新たに追加表示するサムネイルグループの前記サムネイル画像を前記並び順とは逆の表示順で前記モニタに表示させることを特徴とする表示装置。
（３）前記所定の条件は、記録時刻、ファイルサイズまたはファイル名であることを特徴とする上記（１）または（２）に記載の表示装置。
【発明の効果】
【００１０】
本発明によれば、ユーザのサムネイル画像へのフォーカスの移動方向に応じて、ユーザの所望するサムネイル画像を適切な表示順で表示し、サムネイルの検索処理の効率化とユーザの満足度の向上を図ることが可能となる。
【図面の簡単な説明】
【００１１】
【図１】第１の実施形態にかかる表示装置の一例を示した外観図である。
【図２】第１の実施形態における表示装置の構成を示すブロック図である。
【図３】サムネイル生成部が生成したサムネイル画像をサムネイル表示制御部がビューファインダに表示する手順を説明するための説明図である。
【図４】サムネイルページから任意の動画像を再生する手順を説明するための説明図である。
【図５】サムネイル切換制御部がページを順方向に切り換えた場合のサムネイル表示制御部の動作を説明するための説明図である。
【図６】サムネイル切換制御部がページを逆方向に切り換えた場合のサムネイル表示制御部の動作を説明するための説明図である。
【図７】サムネイル表示方法の具体的な処理を示したフローチャートである。
【図８】第２の実施形態における表示装置の構成を示すブロック図である。
【図９】サムネイル切換制御部がサムネイルグループを順方向に順次切り換えた場合のサムネイル表示制御部の動作を説明するための説明図である。
【図１０】サムネイル切換制御部がサムネイルグループを逆方向に順次切り換えた場合のサムネイル表示制御部の動作を説明するための説明図である。
【発明を実施するための形態】
【００１２】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１３】
サムネイル画像のページ切換があった場合、表示装置は、通常、そのフォーカスの移動方向に拘わらず、一番古いサムネイル画像、即ち、モニタ左上に配置されるサムネイル画像から順に表示する。従って、ユーザは、その目的とするサムネイル画像がどの位置にあろうと、モニタ左上に配置されるサムネイル画像から目的とするサムネイル画像まですべて表示されるまで待たなくてはならなかった。以下の実施形態では、ユーザのサムネイル画像へのフォーカスの移動方向に応じて、ユーザの所望するサムネイル画像を適切な表示順で表示し、サムネイルの検索処理の効率化とユーザの満足度の向上を図ることを目的としている。以下に、実施形態にかかる代表的な表示装置および表示方法について説明する。
【００１４】
（第１の実施形態：表示装置１００）
図１は、本実施形態にかかる表示装置１００の一例を示した外観図である。本実施形態では、表示装置１００としてデジタルビデオカメラを挙げて説明するが、これに限定されず、デジタルスチルカメラ、テレビ受像機、パーソナルコンピュータ、携帯電話、ＰＨＳ（Personal Handy phone System）、ＰＤＡ（Personal
Digital Assistant）、カーナビゲーション、ゲーム機器、ＤＶＤプレイヤー等、外部のモニタと接続し得る表示装置または内部にモニタを一体的に備える表示装置を用いることができる。
【００１５】
図１に示すように、本実施形態において表示装置１００は、本体１０２と、撮像レンズ１０４と、操作キー１０６と、モニタとしてのビューファインダ１０８とを含んで構成される。
【００１６】
本体１０２は、撮像レンズ１０４を通じて撮像された画像データを再視聴可能に記録すると共に、操作キー１０６へのユーザ入力に応じてその記録タイミングや画角が調整される。また、画像データにおける画像内の所望する被写体の焦点および露光が所望する値になるよう自動調節される。ビューファインダ１０８は、液晶ディスプレイ、有機ＥＬ(Electro Luminescence)ディスプレイ等で構成され、実録される画像データを視認することができる。ユーザ（撮影者）は、その画像を参照しながら被写体を所望する位置および大きさで捉えることが可能となる。
【００１７】
図２は、本実施形態における表示装置１００の構成を示すブロック図である。表示装置１００は、操作キー１０６と、ビューファインダ１０８と、撮像部１５０と、信号処理部１５２と、画像圧縮部１５４と、画像記録読取部１５６と、画像伸長部１５８と、中央制御部１６０と、メモリ１６２とを含んで構成される。
【００１８】
撮像部１５０は、撮像レンズ１０４を通じて被写体を撮像し画像データを生成する。撮像部１５０は、具体的に、焦点調整に用いられるフォーカスレンズ１７０、露光調整に用いられる絞り１７２、撮像レンズ１０４を通じて入射する光を電気信号に変換する撮像回路（撮像素子）１７４、フォーカスレンズ１７０および絞り１７２を駆動させる駆動回路１７６、を含んで構成される。かかる撮像部１５０によって撮像された画像信号は、信号処理部１５２に転送される。
【００１９】
信号処理部１５２は、ガンマ補正、ニー処理等の所定の画像処理を適用した画像信号を生成し、画像圧縮部１５４に出力する。また、信号処理部１５２は、並行して、生成した画像信号にＤＶＣの状態などの種々の情報を重畳してビューファインダ１０８に表示させる画像データを生成し、生成した画像データをビューファインダ１０８に表示させる。
【００２０】
画像圧縮部１５４は、信号処理部１５２から供給された画像信号を、Ｍ−ＪＰＥＧやＭＰＥＧ−２、Ｈ．２６４などの所定の符号化方式で符号化し、符号化された画像信号を画像データとして画像記録読取部１５６に供給する。
【００２１】
画像記録読取部１５６は、画像圧縮部１５４から供給された画像データを任意の記録媒体１１０に記録する。任意の記録媒体１１０としては、ＤＶＤやＢＤといった電源不要な媒体や、ＲＡＭ、ＥＥＰＲＯＭ、不揮発性ＲＡＭ、フラッシュメモリ、ＨＤＤ等の電源を要する媒体を適用することができる。また、外部から接続可能な別体の記録媒体１１０を用いることもできる。また、画像記録読取部１５６は、任意の記録媒体１１０に予め画像が記録されている場合、その記録媒体１１０から画像を取得することもできる。画像伸長部１５８は、画像記録読取部１５６が取得した画像を復号する。
【００２２】
中央制御部１６０は、中央処理装置（ＣＰＵ）や信号処理装置（ＤＳＰ：Digital Signal Processor）を含む半導体集積回路により表示装置１００全体を管理および制御する。メモリ１６２は、ＲＯＭ、ＲＡＭ、ＥＥＰＲＯＭ、不揮発性ＲＡＭ、フラッシュメモリ、ＨＤＤ等で構成され、中央制御部１６０で処理されるプログラムや画像等を記録する。
【００２３】
また、中央制御部１６０は、撮像制御部１８０、サムネイル生成部１８２、サムネイル表示制御部１８４、画像選択制御部１８６、画像再生制御部１８８、サムネイル切換制御部１９０としても機能する。
【００２４】
撮像制御部１８０は、被写体に対して、焦点調整や露光調整を含む撮像制御を遂行する。具体的に、撮像制御部１８０は、撮像制御を遂行するための制御指令を撮像部１５０の駆動回路１７６に伝達し、駆動回路１７６は、撮像制御部１８０からの制御指令に従って、フォーカスレンズ１７０や絞り１７２を調整する。
【００２５】
図３は、サムネイル生成部１８２が生成したサムネイル画像２０２をサムネイル表示制御部１８４がビューファインダ１０８に表示させる手順を説明するための説明図である。ここでは、撮像部１５０による記録時刻（撮像時刻）の古い方から順に、元画像Ｄ０１からＤ２２までを記録している記録媒体１１０を有する表示装置１００を例に挙げて説明する。ここで、元画像およびサムネイル画像２０２は、動画像または静止画像とすることができる。
【００２６】
まず、サムネイル生成部１８２は、ユーザによる所定の操作キー１０６への入力に応じて、サムネイル画像２０２を並べるためのサムネイルページ２００ａの画像を生成しメモリ１６２に記録する。そして、図３（ａ）に示すように、サムネイル表示制御部１８４は、メモリ１６２に記録されたサムネイルページ２００ａの画像を信号処理部１５２に出力し、サムネイルページ２００ａをビューファインダ１０８に表示させる。
【００２７】
そして、サムネイル生成部１８２は、画像記録読取部１５６に、所定の条件に従って１の元画像（例えば、元画像Ｄ０１）を記録媒体１１０から読み出させ、画像伸長部１５８を通じてその元画像を復号させ、静止画像で表されるサムネイル画像２０２（例えば、サムネイル画像Ｔ０１）を生成する。そして、図３（ｂ）に示すように、サムネイル表示制御部１８４は、サムネイル生成部１８２によって生成されたサムネイル画像２０２（図３（ｂ）中、Ｔ０１で示す）をメモリ１６２上のサムネイルページ２００ａの画像の所定の位置（例えば、左上）に重畳し、重畳後のサムネイルページ２００ｂの画像を信号処理部１５２に出力し、そのサムネイルページ２００ｂをビューファインダ１０８に表示させる。
【００２８】
次にサムネイル生成部１８２は、画像記録読取部１５６に、所定の条件の２番目に相当する１の元画像（例えば元画像Ｄ０２）を記録媒体１１０から読み出させ、画像伸長部１５８を通じてその元画像を復号させ、新たなサムネイル画像２０２（例えば、サムネイル画像Ｔ０２）を生成する。そして、図３（ｃ）に示すように、サムネイル表示制御部１８４は、新たに生成されたサムネイル画像２０２（図３（ｃ）中、Ｔ０２で示す）をメモリ１６２上のサムネイルページ２００ｂの画像の所定の位置（例えば、左上より少し右）に重畳し、重畳後のサムネイルページ２００ｃの画像を信号処理部１５２に出力し、そのサムネイルページ２００ｃをビューファインダ１０８に表示させる。
【００２９】
以下、サムネイル表示制御部１８４が、「サムネイル生成部１８２によって生成されたサムネイル画像をメモリ１６２上のサムネイルページ２００の画像の所定の位置に重畳し、重畳後のサムネイルページ２００の画像を信号処理部１５２に出力し、そのサムネイルページ２００をビューファインダ１０８に表示させる」動作を、単に、「サムネイル表示制御部１８４がサムネイル画像２０２を表示させる」と省略する。
【００３０】
こうして、図３（ｄ）に示すように、サムネイル表示制御部１８４は、サムネイル生成部１８２がサムネイル画像２０２を生成した順（ここでは、サムネイル画像Ｔ０１からＴ１２）に、即ち、図３（ｄ）中破線矢印で示す順に、サムネイル画像２０２を左上から右側に向かって４枚表示させ、１列目の表示が終了すると、次の列の左から右に向かって４枚表示させ、最終列まで繰り返す。従って、サムネイル表示制御部１８４は、サムネイル生成部１８２が生成したサムネイル画像２０２を、その生成順に従った表示順でビューファインダ１０８に表示させるので、１ページ分のサムネイル画像２０２の表示が完了するまでには、多少の時間を要する。
【００３１】
こうして、サムネイル表示制御部１８４は、サムネイル生成部１８２がサムネイル画像２０２を生成した順に、所定数（例えば、４枚×３列の１２）のサムネイル画像２０２をビューファインダ１０８に表示させることとなる。ここでは、記録媒体１１０中の複数の元画像が１２のサムネイル画像２０２毎にページ単位で取り扱われ、ビューファインダ１０８には所定の条件による並び順を維持するように並列表示される。
【００３２】
本実施形態において、サムネイル生成部１８２は、記録時刻の古い順または新しい順にサムネイル画像２０２を生成しているが、これに限定されず、ファイルサイズの昇順または降順や、ファイル名順（例えば、アルファベット順）等の所定の条件に従って、サムネイル画像２０２を生成してもよい。
【００３３】
図４は、サムネイルページ２００から任意の動画像を再生する手順を説明するための説明図である。図４（ａ）に示すように、画像選択制御部１８６は、ユーザによる所定の操作キー１０６への選択入力を介して、ユーザに任意のサムネイル画像２０２を、例えば、図中縁取りで示したフォーカスを移動することで選択させ、選択されたサムネイル画像２０２（選択結果）を受け付ける。続いて、図４（ｂ）に示すように、画像再生制御部１８８は、ユーザによる所定の操作キー１０６への選択決定入力を介して、画像記録読取部１５６に選択決定されたサムネイル画像２０２にかかる元画像（例えば、元画像Ｄ０３）を記録媒体１１０から抽出し、信号処理部１５２を通じてビューファインダ１０８に元画像を出力させる。
【００３４】
サムネイル切換制御部１９０は、ユーザによる任意の操作キー１０６への選択入力に応じて、複数のサムネイルページ２００をサムネイル画像２０２の並び順（本実施形態では記録時刻順）に従って切り換える。そして、サムネイル表示制御部１８４は、サムネイル切換制御部１９０がサムネイルページ２００を順方向に切り換えた場合、新たなサムネイルページ２００のサムネイル画像２０２を並び順と同じ表示順でビューファインダ１０８に表示させる。
【００３５】
図５は、サムネイル切換制御部１９０がサムネイルページ２００を順方向に切り換えた場合のサムネイル表示制御部１８４の動作を説明するための説明図である。ユーザによる所定の操作キー１０６への選択入力に応じて、サムネイル画像２０２へのフォーカスが移動され、フォーカスが１ページ目のサムネイルページ２００からさらに順方向（進む方向）に切り換えられると、サムネイル切換制御部１９０は、サムネイルページ２００を１ページから２ページに切り換え、図５（ａ）から図５（ｂ）に示すように、サムネイル表示制御部１８４は、２ページ目のサムネイルページ２００のサムネイル画像２０２を並び順と同じ表示順（図５（ｂ）中破線矢印で示す）でビューファインダ１０８に表示させる。
【００３６】
従って、サムネイル切換制御部１９０がページを順方向に切り換えた場合、サムネイル表示制御部１８４は、新たなサムネイルページ２００に表示されるサムネイル画像２０２の中で、並び順が最も早いサムネイル画像２０２ａを、最初にビューファインダ１０８に表示させることになる。即ち、ユーザがサムネイル画像２０２へのフォーカスを記録時刻の新しい方に移動した場合、そのページ切換において、次ページの一番古いサムネイル画像２０２ａが最初に表示される。かかるサムネイル画像２０２ａは前ページにおける一番新しいサムネイル画像２０２ｂの次の画像に当たるので理にかなっていると言える。
【００３７】
本実施形態において、サムネイル表示制御部１８４は、サムネイル切換制御部１９０がページを逆方向に切り換えた場合、新たなサムネイルページ２００のサムネイル画像２０２を並び順とは逆の表示順でビューファインダ１０８に表示させる。
【００３８】
図６は、サムネイル切換制御部１９０がページを逆方向に切り換えた場合のサムネイル表示制御部１８４の動作を説明するための説明図である。ユーザによる所定の操作キー１０６への選択入力に応じて、サムネイル画像２０２へのフォーカスが移動され、フォーカスが２ページ目のサムネイルページ２００から逆方向（戻る方向）に切り換えられると、サムネイル切換制御部１９０は、サムネイルページ２００を２ページから１ページに切り換え、図６（ａ）から図６（ｂ）に示すように、サムネイル表示制御部１８４は、１ページ目のサムネイルページ２００のサムネイル画像２０２を並び順とは逆の表示順（図６（ｂ）中破線矢印で示す）でビューファインダ１０８に表示させる。図６（ｂ）は、表示順の理解を容易にするため、サムネイル画像Ｔ０４に相当するサムネイル画像２０２までしか表示されていない途中の表示状態を示している。
【００３９】
サムネイル画像２０２へのフォーカスを記録時刻の古い方に移動している場合、そのページ切換において、最初に確認したいのは前ページの一番新しいサムネイル画像２０２、即ち、モニタ右下に配置されるサムネイル画像２０２ｃである。上記サムネイル切換制御部１９０がページを逆方向に切り換えた場合、サムネイル表示制御部１８４が、サムネイル画像２０２を並び順とは逆の表示順で表示させる構成により、前ページの一番新しいサムネイル画像２０２ｃからビューファインダ１０８に表示させることができる。従って、サムネイル表示制御部１８４は、ユーザの所望するサムネイル画像２０２を適切な表示順で表示させることができるため、ユーザは、目的とするサムネイル画像２０２、ここでは一番新しい右下のサムネイル画像２０２が表示されるまで待つ必要がなく、サムネイルの検索処理の効率化とユーザの満足度の向上を図ることが可能となる。
【００４０】
（サムネイル表示方法）
また、上述した表示装置１００を用いて、適切な表示順でサムネイル画像２０２を表示することが可能なサムネイル表示方法も提供される。
【００４１】
図７は、サムネイル表示方法の具体的な処理を示したフローチャートである。まず、ユーザによる所定の操作キー１０６への入力に応じて、サムネイルページ２００の表示要求を受け付けると（Ｓ３００のＹＥＳ）、サムネイル生成部１８２は、所定の条件（本実施形態では記録時刻順）に従ってサムネイル画像２０２を生成する（Ｓ３０２）。そして、サムネイル表示制御部１８４は、サムネイル生成部１８２が生成した順に従った表示順で、サムネイル画像２０２をビューファインダ１０８に表示させる（Ｓ３０４）。
【００４２】
次に、ユーザによる所定の操作キー１０６への選択入力に応じて、サムネイル切換制御部１９０がサムネイルページ２００を切換える場合、サムネイル表示制御部１８４は、サムネイルページ２００が順方向に切り換えられたか否かを判定する（Ｓ３０６）。サムネイルページ２００が順方向に切り換えられていれば（Ｓ３０６のＹＥＳ）、サムネイル生成部１８２は、新たなサムネイルページ２００のサムネイル画像２０２を並び順と同じ順で生成し（Ｓ３０８）、サムネイル表示制御部１８４は、並び順と同じ表示順でサムネイル画像２０２をビューファインダ１０８に表示させる（Ｓ３１０）。サムネイル表示制御部１８４は、１のサムネイルページ２００に表示可能なサムネイル画像２０２をすべてビューファインダ１０８に表示させたか否かを判定し（Ｓ３１２）、表示させていなければ（Ｓ３１２のＮＯ）、Ｓ３０８に戻り、表示させていれば（Ｓ３１２のＹＥＳ）、サムネイル表示制御部１８４は、サムネイルページ２００が逆方向に切り換えられたか否かを判定する（Ｓ３１４）。
【００４３】
ここで、サムネイルページ２００が逆方向に切り換えられていれば（Ｓ３１４のＹＥＳ）、サムネイル生成部１８２は、新たなサムネイルページ２００のサムネイル画像２０２を並び順とは逆の順に生成し（Ｓ３１６）、サムネイル表示制御部１８４は、並び順とは逆の表示順でサムネイル画像２０２を表示させる（Ｓ３１８）。サムネイル表示制御部１８４は、１のサムネイルページ２００に表示可能なサムネイル画像２０２をすべてビューファインダ１０８に表示させたか否かを判定し（Ｓ３２０）、表示させていなければ（Ｓ３２０のＮＯ）、次のサムネイル画像２０２を生成する（Ｓ３１６）。
【００４４】
そして、サムネイル表示制御部１８４は、ユーザによる所定の操作キー１０６への終了入力があるか否かを判定し（Ｓ３２２）、終了入力があれば（Ｓ３２２のＹＥＳ）、サムネイルページ２００の表示を終了する。
【００４５】
（第２の実施形態：表示装置４００）
上述した第１の実施形態では、サムネイルページ２００を順方向に切り換えた場合、サムネイル表示制御部１８４は、新たなサムネイルページ２００のサムネイル画像２０２を並び順（記録順等）と同じ表示順で表示させ、サムネイルページ２００を逆方向に切り換えた場合、新たなサムネイルページ２００（前のサムネイルページ２００）のサムネイル画像２０２を並び順とは逆の表示順で表示させることが可能な表示装置１００について説明した。
【００４６】
第２の実施形態では、サムネイル画像２０２をページ単位ではなく所定のグループ単位で順方向に順次切り換えたり、逆方向に順次切り換えたりする場合においても、サムネイル表示制御部１８４が、ユーザの所望するサムネイル画像２０２を適切な表示順で表示させることが可能な表示装置４００について説明する。なお、上述した表示装置１００と実質的に等しい構成要素については、同一の符号を付して説明を省略する。
【００４７】
図８は、本実施形態における表示装置４００の構成を示すブロック図である。図８に示すように、表示装置４００は、操作キー１０６と、ビューファインダ１０８と、撮像部１５０と、信号処理部１５２と、画像圧縮部１５４、画像記録読取部１５６と、画像伸長部１５８と、中央制御部４６０と、メモリ１６２を含んで構成される。また、中央制御部４６０は、撮像制御部１８０、サムネイル生成部１８２、サムネイル表示制御部４８４、画像選択制御部１８６、画像再生制御部１８８、サムネイル切換制御部４９０としても機能する。
【００４８】
サムネイル表示制御部４８４は、所定の条件に従って並べられたサムネイル画像２０２中の、１または複数のサムネイル画像２０２からなる連続した複数のサムネイルグループを、その並び順を維持するようにサムネイルページ２００に重畳したページデータを信号処理部１５２に出力し、重畳後のサムネイルページ２００をビューファインダ１０８に表示させる。
【００４９】
サムネイル切換制御部４９０は、ユーザ選択に応じて、サムネイルグループを順次切り換えて、ビューファインダ１０８に追加表示させる。
【００５０】
図９は、サムネイル切換制御部４９０がサムネイルグループ５０２を順方向に順次切り換えた場合のサムネイル表示制御部４８４の動作を説明するための説明図である。ユーザによる所定の操作キー１０６への選択入力に応じて、サムネイル切換制御部４９０がサムネイルグループ５０２ａ（本実施形態では、１列４枚のサムネイル画像２０２をサムネイルグループ５０２とし、図９および図１０中、一点鎖線で示す）を順方向に順次切り換えた場合、図９（ａ）から図９（ｂ）に示すように、サムネイル表示制御部４８４は、新たに追加表示するサムネイルグループ５０２ｂのサムネイル画像２０２を並び順と同じ表示順（図９（ｂ）中破線矢印で示す）でビューファインダ１０８に表示させる。
【００５１】
また、サムネイル表示制御部４８４は、サムネイル切換制御部４９０がサムネイルグループ５０２を逆方向に順次切り換えた場合、新たに追加表示するサムネイルグループ５０２のサムネイル画像２０２を並び順とは逆の表示順で表示させる。
【００５２】
図１０は、サムネイル切換制御部４９０がサムネイルグループ５０２を逆方向に順次切り換えた場合のサムネイル表示制御部４８４の動作を説明するための説明図である。ユーザによる所定の操作キー１０６への選択入力に応じて、サムネイル切換制御部４９０が、サムネイルグループ５０２ｂを逆方向に順次切り換えた場合、図１０（ａ）から図１０（ｂ）に示すように、サムネイル表示制御部４８４は、新たなサムネイルグループ５０２ｃのサムネイル画像２０２を、並び順とは逆の表示順（図１０（ｂ）中破線矢印で示す）で表示させる。
【００５３】
上述した第１の実施形態と同様に、本実施形態にかかる表示装置４００においても、上記サムネイル切換制御部４９０がサムネイルグループ５０２を逆方向に順次切り換えた場合、サムネイル表示制御部４８４が、サムネイル画像２０２を並び順とは逆の表示順で表示させる構成により、前のサムネイルグループ５０２の中で最も新しいサムネイル画像２０２ｃからビューファインダ１０８に表示させることができる。従って、サムネイル表示制御部４８４は、ユーザの所望するサムネイル画像２０２を適切な表示順で表示させることができるため、ユーザは、目的とするサムネイル画像２０２が表示されるまで待つ必要がなく、サムネイルの検索処理の効率化とユーザの満足度の向上を図ることが可能となる。
【００５４】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００５５】
なお、本明細書のサムネイル表示方法における各工程は、必ずしもフローチャートとして記載された順序に沿って時系列に処理する必要はなく、並列的あるいはサブルーチンによる処理を含んでもよい。
【産業上の利用可能性】
【００５６】
本発明は、複数のサムネイル画像を一度に表示可能な表示装置に利用することができる。
【符号の説明】
【００５７】
１００、４００  …表示装置
１０６  …操作キー
１０８  …ビューファインダ（モニタ）
１１０  …記録媒体
１６０、４６０  …中央制御部
１６２  …メモリ
１８２  …サムネイル生成部
１８４、４８４  …サムネイル表示制御部
１９０、４９０  …サムネイル切換制御部
２００  …サムネイルページ
２０２  …サムネイル画像
５０２  …サムネイルグループ
【図１】
2010166195.tif 000003
【図２】
2010166195.tif 000004
【図３】
2010166195.tif 000005
【図４】
2010166195.tif 000006
【図５】
2010166195.tif 000007
【図６】
2010166195.tif 000008
【図７】
2010166195.tif 000009
【図８】
2010166195.tif 000010
【図９】
2010166195.tif 000011
【図１０】
2010166195.tif 000012